【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の前記色又は前記明るさを、前記少なくとも一方の面側から検出した検出結果に基づいて、前記少なくとも一方の面側から見た、前記搬送対象物の前記第１部材及び前記第２部材の一方の境界を検出する制御手段と、
前記搬送対象物の少なくとも一部に印刷を行う印刷ヘッドと、
を備える、ことを特徴とする印刷装置。
【請求項２】
前記制御手段は、前記搬送が行われる前に検出した第１の検出結果と、前記搬送が行われた後に検出した第２の検出結果との比較に基づいて、前記境界が検出位置を通過したか否かを判断することにより前記境界を検出する、
ことを特徴とする請求項１に記載の印刷装置。
【請求項３】
前記制御手段は、前記第１の検出結果及び前記第２の検出結果として、前記検出位置における前記搬送対象物の色の、赤色値（Ｒ）、緑色値（Ｇ）及び青色値（Ｂ）を含むＲＧＢ値を検出し、前記第１の検出結果及び前記第２の検出結果における、前記赤色値、前記緑色値及び前記青色値のうちの、少なくとも一つの値の比較に基づいて、前記境界が前記検出位置を通過したか否かを判断する、
ことを特徴とする請求項２に記載の印刷装置。
【請求項４】
前記第１部材は、前記印刷ヘッドによる前記印刷に使用されるインクリボンであり、
前記第２部材は、前記印刷ヘッドにより前記印刷が行われる被印刷媒体である、
ことを特徴とする請求項２又は請求項３に記載の印刷装置。
【請求項５】
前記被印刷媒体は、前記印刷ヘッドによる前記印刷が行われる印刷面を一方に有する長尺状の基材を有し、
前記被印刷媒体は前記インクリボンより短く、
前記搬送対象物は、前記被印刷媒体の残量があるときは、前記インクリボンが前記基材の前記印刷面側に重ねられた状態で搬送され、前記被印刷媒体の残量が無くなったときは、前記インクリボンが前記基材と重ならない状態で搬送され、
前記制御手段は、前記境界が前記検出位置を通過したと判断した場合に、前記被印刷媒体の残量が無くなったと判断する、
ことを特徴とする請求項４に記載の印刷装置。
【請求項６】
前記搬送対象物の前記色又は前記明るさを、前記少なくとも一方の面側から検出する検出装置を更に備え、
前記被印刷媒体は、前記基材の前記印刷面と反対側の面を、粘着層を介して覆う剥離紙を有し、
前記制御手段は、前記被印刷媒体の残量があるときは、前記剥離紙の前記検出装置側の色又は明るさを検出する、
ことを特徴とする請求項５に記載の印刷装置。
【請求項７】
表示装置をさらに備え、
前記制御手段は、前記第２部材の残量が無くなったと判断した場合に、前記第２部材の残量が無くなった旨を前記表示装置に表示する制御を実行する、
ことを特徴とする請求項５又は請求項６に記載の印刷装置。
【請求項８】
前記搬送対象物の搬送経路に沿って前記被印刷媒体を搬送する搬送装置をさらに備え、
前記制御手段は、前記第２部材の残量が無くなったと判断した場合には、前記搬送装置による搬送を停止させる制御を実行する、
ことを特徴とする請求項５乃至請求項７のうちいずれか１項に記載の印刷装置。
【請求項９】
照射手段をさらに備え、
前記制御手段は、前記搬送対象物の前記検出位置における色又は明るさを検出するときに、前記搬送対象物の前記検出位置を照明する、
ことを特徴とする請求項２乃至請求項８のうちいずれか１項に記載の印刷装置。
【請求項１０】
前記検出位置は、前記搬送対象物の搬送方向に直交する幅方向の中央となる位置に配置されている、
ことを特徴とする請求項２乃至請求項９のうちいずれか１項に記載の印刷装置。
【請求項１１】
前記検出装置は、前記搬送対象物の搬送経路において、前記印刷ヘッドに対して前記搬送方向における上流側に配置されている、
ことを特徴とする請求項６に記載の印刷装置。
【請求項１２】
前記搬送対象物は、前記第１部材の前記一方の面と前記第２部材の前記一方の面とが同じ向きで重ねられた状態で搬送される、
ことを特徴とする請求項１乃至請求項１１のうちいずれか１項記載の印刷装置。
【請求項１３】
印刷装置の印刷制御方法であって、
前記印刷装置は、印刷を行う印刷ヘッドと、対象物の色又は明るさを検出する制御手段と、を備え、
少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の色又は明るさを、前記制御手段により、前記少なくとも一方の面側から検出した検出結果に基づいて、前記少なくとも一方の面側から見た、前記搬送対象物の前記第１部材及び前記第２部材の一方の境界を検出する、
ことを特徴とする印刷装置の印刷制御方法。
【請求項１４】
印刷装置のコンピュータに実行させるプログラムであって、
前記印刷装置は、印刷を行う印刷ヘッドと、対象物の色又は明るさを検出する制御手段と、を備え、
前記コンピュータに、
少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の色又は明るさを、前記制御手段により、前記少なくとも一方の面側から検出させ、
前記検出結果に基づいて、前記少なくとも一方の面側から見た、前記搬送対象物の前記第１部材及び前記第２部材の一方の境界を検出させる、
ことを特徴とするプログラム。
【手続補正２】
【補正対象書類名】明細書
【補正対象項目名】０００６
【補正方法】変更
【補正の内容】
【０００６】
本発明の一態様に係る印刷装置は、少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の前記色又は前記明るさを、前記少なくとも一方の面側から検出した検出結果に基づいて、前記少なくとも一方の面側から見た、前記搬送対象物の前記第１部材及び前記第２部材の一方の境界を検出する制御手段と、前記搬送対象物の少なくとも一部に印刷を行う印刷ヘッドと、を備える。
【手続補正３】
【補正対象書類名】明細書
【補正対象項目名】０００７
【補正方法】変更
【補正の内容】
【０００７】
本発明の一態様に係る印刷装置の印刷制御方法は、前記印刷装置は、印刷を行う印刷ヘッドと、対象物の色又は明るさを検出する制御手段と、を備え、少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の色又は明るさを、前記制御手段により、前記少なくとも一方の面側から検出した検出結果に基づいて、前記少なくとも一方の面側から見た、前記搬送対象物の前記第１部材及び前記第２部材の一方の境界を検出する。
【手続補正４】
【補正対象書類名】明細書
【補正対象項目名】０００８
【補正方法】変更
【補正の内容】
【０００８】
本発明の一態様に係るプログラムは、印刷装置のコンピュータに実行させるプログラムであって、前記印刷装置は、印刷を行う印刷ヘッドと、対象物の色又は明るさを検出する制御手段と、を備え、前記コンピュータに、少なくとも一方の面同士のそれぞれの領域に含まれる色が互いに異なる、又は、少なくとも一方の面同士のそれぞれの領域における明るさが互いに異なる第１部材及び第２部材を有する複数の部材が重ねられた状態で搬送される搬送対象物の色又は明るさを、前記制御手段により、前記少なくとも一方の面側から検出させ、前記検出結果に基づいて、前記少なくとも一方の面側から見た、前記搬送対象物の前記第１部材及び前記第２部材の一方の境界を検出させる。